(57)【要約】【課題】  横方向からの圧力に対する破壊強度が高い雨水貯留浸透槽用の構成部材及び雨水貯留浸透槽を得る。【解決手段】  構成部材２０を複数段積み重ねて連結する場合、上段にある構成部材２０の側壁先端部２２Ｂ、２４Ｂを、下段の構成部材２０の第１、第２溝部３１、３２に嵌入する。このように嵌入して構成される雨水貯留浸透槽では、横方向からの圧力に対して、第１、第２溝部３１，３２と側壁先端部２２Ｂ、２４Ｂとが面接触しながら支持することになるので、横方向からの圧力に対する破壊強度が高くなる。【選択図】      図９
2007016555.tif 000002
【特許請求の範囲】
【請求項１】
雨水貯留浸透槽の組立体を複数個で形成する雨水貯留浸透槽用の構成部材であって、
先端部が開口部とされた筒状の側壁部と、
前記側壁部の基端部同士を繋ぐと共に、前記側壁部の先端部を嵌入可能な溝部が外面に設けられた天板部と、
を有することを特徴とする雨水貯留浸透槽用の構成部材。
【請求項２】
雨水貯留浸透槽の組立体を複数個で形成する雨水貯留浸透槽用の構成部材であって、
先端部が開口部とされた筒状の側壁部と、
前記側壁部の基端部同士を繋ぐと共に、前記側壁部の先端部を２枚嵌入可能な幅の溝部が外面に設けられた天板部と、
を有することを特徴とする雨水貯留浸透槽用の構成部材。
【請求項３】
前記天板部から前記側壁部で囲まれた空間側へ突出する突出部と、
前記天板部の前記外面に設けられ、前記突出部の先端部と係合可能な係合部と、
を有することを特徴とする請求項１又は請求項２に記載の雨水貯留浸透槽用の構成部材。
【請求項４】
前記天板部の平面視での形状及び前記開口部の形状が、共に線対称多角形であり、前記溝部が複数本設けられると共に、前記溝部の各中心線が前記天板部のいずれかの辺に平行な方向に延びて互いに交わることを特徴とする請求項１から３のいずれか一項に記載の雨水貯留浸透槽用の構成部材。
【請求項５】
前記天板部の平面視での形状及び前記開口部の形状が、共に縦横比が１：２の長方形であり、前記溝部が、中心線によって前記天板部の短辺を二等分して長辺に平行な方向に延びる第１溝部と、各中心線によって前記天板部の長辺を四等分して短辺に平行な方向に延びる３本の第２溝部とを備えることを特徴とする請求項４記載の雨水貯留浸透槽用の構成部材。
【請求項６】
請求項１から５のいずれか一項に記載の雨水貯留浸透槽用の構成部材が、互いに隣り合って複数個並設されると共に上下方向に積み重ねられ、下段に配置される前記構成部材の前記溝部に、上段に配置される前記構成部材の前記側壁部の先端部が嵌入されることを特徴とする雨水貯留浸透槽。
【請求項７】
上段に配置される前記構成部材が、下段に配置される前記構成部材に跨るように積み重ねられることを特徴とする請求項６記載の雨水貯留浸透槽。
【請求項８】
前記構成部材が、請求項５記載の雨水貯留浸透槽用の構成部材であり、奇数段に配置される当該構成部材と偶数段に配置される当該構成部材とが、交互に向きを９０°変えて積み重ねられることを特徴とする請求項７記載の雨水貯留浸透槽。
【発明の詳細な説明】
【技術分野】
【０００１】
本発明は、雨水を貯留又は地中に浸透させる等のために用いられる雨水貯留浸透槽用の構成部材及び雨水貯留浸透槽に関する。
【背景技術】
【０００２】
地中に埋設される雨水貯留浸透槽においては、雨水の流入空間を確保するために、箱状部材が積み重ねられて構成されている場合がある（例えば、特許文献１参照）。このような箱状部材を積み重ねた組立体では、上下の各箱状部材の隅部に形成された結合突起と結合孔とを結合した状態としている。
【０００３】
この従来の雨水貯留浸透槽では、横方向からの圧力に対しては、結合突起と結合孔との結合部分で支持するのみとなるので、十分な破壊強度が得られない。
【特許文献１】特公平４−２６６４８号公報
【発明の開示】
【発明が解決しようとする課題】
【０００４】
本発明は、上記事実を考慮して、横方向からの圧力に対する破壊強度が高い雨水貯留浸透槽用の構成部材及び雨水貯留浸透槽を提供することを課題とする。
【課題を解決するための手段】
【０００５】
請求項１に記載する本発明の雨水貯留浸透槽用の構成部材は、雨水貯留浸透槽の組立体を複数個で形成する雨水貯留浸透槽用の構成部材であって、先端部が開口部とされた筒状の側壁部と、前記側壁部の基端部同士を繋ぐと共に、前記側壁部の先端部を嵌入可能な溝部が外面に設けられた天板部と、を有することを特徴とする。
【０００６】
雨水貯留浸透槽とは、少なくとも雨水を貯留又は地中に浸透させる槽をいい、具体的には、雨水を貯留する貯留槽、雨水を一次的に貯留した後に徐々に地中に浸透させる浸透槽、及び、貯留槽の機能と浸透槽の機能とを併せ持つ貯留浸透槽のすべてを含む（以下の記載（他の請求項を含む）において同じ）。
【０００７】
請求項１に記載する本発明の雨水貯留浸透槽用の構成部材によれば、天板部の溝部には、側壁部の先端部が嵌入可能となっているので、隣り合って配置させる構成部材を複数段積み重ねて連結する場合には、上段における構成部材の側壁部の先端部を下段における構成部材の溝部に嵌入することができる。また、このように嵌入して構成される雨水貯留浸透槽では、横方向からの圧力に対して、溝部と側壁部の先端部とが面接触しながら支持することになるので、横方向からの圧力に対する破壊強度が高くなる。
【０００８】
請求項２に記載する本発明の雨水貯留浸透槽用の構成部材は、雨水貯留浸透槽の組立体を複数個で形成する雨水貯留浸透槽用の構成部材であって、先端部が開口部とされた筒状の側壁部と、前記側壁部の基端部同士を繋ぐと共に、前記側壁部の先端部を２枚嵌入可能な幅の溝部が外面に設けられた天板部と、を有することを特徴とする。
【０００９】
請求項２に記載する本発明の雨水貯留浸透槽用の構成部材によれば、天板部の溝部は、側壁部の先端部を２枚嵌入可能な幅となっているので、隣接配置させる構成部材を複数段積み重ねて連結する場合には、上段にあって互いに隣接配置させる構成部材の隣り合う側壁部の先端部を、下段の構成部材の同じ溝部に嵌入することができる。また、このように嵌入して構成される雨水貯留浸透槽では、横方向からの圧力に対して、溝部と側壁部の先端部とが面接触しながら支持することになるので、横方向からの圧力に対する破壊強度が高くなる。
【００１０】
請求項３に記載する本発明の雨水貯留浸透槽用の構成部材は、請求項１又は請求項２に記載の構成において、前記天板部から前記側壁部で囲まれた空間側へ突出する突出部と、前記天板部の前記外面に設けられ、前記突出部の先端部と係合可能な係合部と、を有することを特徴とする。
【００１１】
請求項３に記載する本発明の雨水貯留浸透槽用の構成部材によれば、溝部に側壁部の先端部が嵌入可能であることに加え、突出部の先端部と係合部とが係合可能であるので、このような構成部材によって組み立てられる雨水貯留浸透槽は、横方向からの圧力に対して、溝部と側壁部の先端部とが面接触しながら支持するのに加え、突出部の先端部と係合部とが面接触しながら支持する。
【００１２】
請求項４に記載する本発明の雨水貯留浸透槽用の構成部材は、請求項１から３のいずれか一項に記載の構成において、前記天板部の平面視での形状及び前記開口部の形状が、共に線対称多角形であり、前記溝部が複数本設けられると共に、前記溝部の各中心線が前記天板部のいずれかの辺に平行な方向に延びて互いに交わることを特徴とする。
【００１３】
ここで、線対称多角形とは、対称軸を中心として線対称とされた多角形をいい、例えば、矩形状や正多角形等を含む。また、ここでの線対称多角形には、例えば、線対称多角形の角部が僅かに面取りされたような形状や線対称多角形の一部が僅かに切り欠かれたような形状のように、実質的に線対称多角形と認められる形状のすべてが含まれる。
【００１４】
請求項４に記載する本発明の雨水貯留浸透槽用の構成部材によれば、天板部の平面視での形状及び開口部の形状が、共に線対称多角形であり、溝部が複数本設けられると共に、溝部の各中心線が天板部のいずれかの辺に平行な方向に延びて互いに交わるので、隣り合って配置させる構成部材を複数段積み重ねて連結する場合には、規則配列が可能となると共に、上段に配置する構成部材を下段に配置される構成部材に跨るように積み重ねることができ、構成部材同士を互いに強く拘束させることができる。
【００１５】
請求項５に記載する本発明の雨水貯留浸透槽用の構成部材は、請求項４記載の構成において、前記天板部の平面視での形状及び前記開口部の形状が、共に縦横比が１：２の長方形であり、前記溝部が、中心線によって前記天板部の短辺を二等分して長辺に平行な方向に延びる第１溝部と、各中心線によって前記天板部の長辺を四等分して短辺に平行な方向に延びる３本の第２溝部とを備えることを特徴とする。
【００１６】
請求項５に記載する本発明の雨水貯留浸透槽用の構成部材によれば、中心線によって天板部の短辺を二等分して長辺に平行な方向に延びる第１溝部と、各中心線によって天板部の長辺を四等分して短辺に平行な方向に延びる３本の第２溝部とに、上段に配置する構成部材の側壁部の先端部を嵌入することができ、上段に配置する複数の構成部材のうちの一部を下段に配置される６個の構成部材に跨らせるように積み重ねることも可能となるので、構成部材同士を互いに強く拘束させることができる。
【００１７】
請求項６に記載する本発明の雨水貯留浸透槽は、請求項１から５のいずれか一項に記載の雨水貯留浸透槽用の構成部材が、互いに隣り合って複数個並設されると共に上下方向に積み重ねられ、下段に配置される前記構成部材の前記溝部に、上段に配置される前記構成部材の前記側壁部の先端部が嵌入されることを特徴とする。
【００１８】
請求項６に記載する本発明の雨水貯留浸透槽によれば、横方向からの圧力に対して、下段側の溝部と上段側の側壁部の先端部とが面接触しながら支持することになるので、横方向からの圧力に対する破壊強度が高くなる。
【００１９】
請求項７に記載する本発明の雨水貯留浸透槽は、請求項６記載の構成において、上段に配置される前記構成部材が、下段に配置される前記構成部材に跨るように積み重ねられることを特徴とする。
【００２０】
請求項７に記載する本発明の雨水貯留浸透槽によれば、上段に配置される構成部材が、下段に配置される構成部材に跨るように積み重ねられるので、構成部材同士を互いに強く拘束させることができる。
【００２１】
請求項８に記載する本発明の雨水貯留浸透槽は、請求項７記載の構成において、前記構成部材が、請求項５記載の雨水貯留浸透槽用の構成部材であり、奇数段に配置される当該構成部材と偶数段に配置される当該構成部材とが、交互に向きを９０°変えて積み重ねられることを特徴とする。
【００２２】
ここで、奇数段とは、積み重ね段数が奇数段目となる段をいい、偶数段とは、積み重ね段数が偶数段目となる段をいう（以下の記載において同じ）。
【００２３】
請求項８に記載する本発明の雨水貯留浸透槽によれば、奇数段に配置される構成部材と偶数段に配置される構成部材とが、交互に向きを９０°変え、上段の構成部材が下段の複数の構成部材に跨るように積み重ねられるので、上段に配置する複数の構成部材のうちの一部を下段に配置される６個の構成部材に跨らせるように積み重ねることも可能となり、構成部材同士を互いに強く拘束させることができる。
【発明の効果】
【００２４】
以上説明したように、本発明の雨水貯留浸透槽用の構成部材及び雨水貯留浸透槽によれば、横方向からの圧力に対する破壊強度が高いという優れた効果を有する。
【発明を実施するための最良の形態】
【００２５】
本発明における雨水貯留浸透槽用の構成部材及び雨水貯留浸透槽の実施形態を図面に基づき説明する。
（雨水貯留浸透槽用の構成部材及び雨水貯留浸透槽の構成）
図１に示されるように、雨水貯留浸透槽１０は、地中Ｇに埋設されるものであり、設置状態では、保護マット１２を介してゴム製の遮水シート１４上に載置されており、側面下部が遮水シート１４によって覆われると共に、側面上部及び上面が透水シート１５によって覆われる。また、側面には、導入管１６及び排水管１８が接続される。
【００２６】
地中Ｇの雨水貯留浸透槽１０は、導入管１６によって集水した雨水を下部で貯留する一方、上部では一次的に貯留した後に徐々に地中Ｇに浸透させて排出するようになっており、河川への急激な雨水流入を防いでいる。また、雨水貯留浸透槽１０が満水に近い状態になった場合には、排水管１８を介して上部から排水するようになっている。
【００２７】
雨水貯留浸透槽１０は、図２及び図７に示される雨水貯留浸透槽用の構成部材（以下、単に「構成部材」という）２０、４０による組立体であり、図１１に示されるように、構成部材２０、４０が互いに隣接して複数個並設されると共に上下方向に積み重ねられながら連結されて形成される。
【００２８】
なお、図２に示される構成部材２０は、雨水貯留浸透槽１０の大部分を構成する標準サイズ（フルサイズ）であり、図７に示される構成部材４０は、雨水貯留浸透槽１０の側部に一部適用されるハーフサイズである。
【００２９】
図２及び図７に示される構成部材２０、４０の材料には、樹脂材料が適用でき、加水分解しないものがよい。具体的には、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（ｇ／１０分）〜１５（ｇ／１０分）のものがよい。また、これらに充填剤としてカーボンブラックを１〜３％加えて耐光性を高めてもよい。なお、設置場所が高温になる場所ではないため、酸化防止剤は加えなくてもよい。
【００３０】
構成部材２０、４０は、射出成形法によって中空の箱状に一体成形されている。構成部材２０、４０の厚さは、均一であり、製品１個当たりの重量及び機械的な強度等を考慮して２ｍｍ〜３ｍｍとするのが好ましい。
【００３１】
図２〜図６に示されるように、標準サイズの構成部材２０は、枠状、すなわち、四角筒状の側壁部２２、２４、及び、側壁部２２、２４の基端部２２Ａ、２４Ａ同士を繋ぐ天板部２６を有する。側壁部２２、２４は、天板部２６の各短辺２８（平面視で短辺を構成する辺）に繋がって互いに対向する短辺２８側の側壁部２２と、天板部２６の各長辺２９（平面視で長辺を構成する辺）に繋がって互いに対向する長辺２９側の側壁部２４とを備える。
【００３２】
平面図である図３に示されるように、短辺２８側の側壁部２２と長辺２９側の側壁部２４とは、平面視で互いに直角になっており、底面図である図４に示されるように、側壁部２２、２４の先端部としての側壁先端部２２Ｂ、２４Ｂが開口部２５とされる。この開口部２５の形状は、線対称多角形としての矩形状とされ、本実施形態では、短辺寸法が５００ｍｍ、長辺寸法が１０００ｍｍ、すなわち、縦横比が１：２の長方形となっている。なお、図２に示される構成部材２０の高さ寸法は、５００ｍｍとされる。構成部材２０を以上のようなサイズの形状とすることで、施工時における作業効率を良好にすることができる。
【００３３】
また、図５及び図６に示されるように、側壁先端部２２Ｂ、２４Ｂは、外向きにＪ字状に湾曲成形されている。このようにすることで、側壁部２２、２４の成形ひずみを抑えると共に、側壁部２２、２４の強度を補強している。なお、図２に示されるように、雨水貯留浸透槽１０（図１参照）の設置時において、構成部材２０は、側壁先端部２２Ｂ、２４Ｂ側が下側となるように配置される。
【００３４】
図５及び図６に示されるように、側壁部２２、２４は、天板部２６に向かって僅かに寸法が小さくなる傾斜状とされており、図２に示されるように、側壁部２２、２４の外周面には、上下方向に延びるリブ２３が複数（本実施形態では、短辺２８側の側壁部２２に５個、長辺２９側の側壁部２４に１１個）形成されている。
【００３５】
図２及び図３に示されるように、側壁部２２、２４の基端部２２Ａ、２４Ａ同士を繋ぐ天板部２６は、平面視での形状が線対称多角形としての矩形状とされ、本実施形態では、縦横比が１：２の長方形となっている。
【００３６】
天板部２６は、構成部材２０の配置時に水平な上面を形成する頂部３０Ａを備え、この頂部３０Ａは、雨水貯留浸透槽１０（図１参照）の施工時には作業用足場を兼ねる。頂部３０Ａには、雨水流通孔としての複数の貫通孔３８が貫通形成されており、構成部材２０の設置時には雨水を流通させるための流通部とされる。
【００３７】
構成部材２０の設置時に上方側へ向けられる天板部２６の外面には、第１、第２溝部３１、３２が設けられている。図３に示されるように、第１溝部３１は、中心線３１Ｌによって天板部２６の短辺２８を二等分して長辺２９に平行な方向に延びており、３本設けられる第２溝部３２は、各中心線によって天板部２６の長辺２９を四等分して短辺２８に平行な方向に延びる。すなわち、第１溝部３１の中心線３１Ｌと第２溝部３２の各中心線３２Ｌとは、互いに直交する方向へ延びて互いに交わっている。
【００３８】
これらの第１、第２溝部３１、３２は、図４に示される側壁先端部２２Ｂ、２４Ｂを２枚嵌入可能な幅となっており、上段に隣接して配置される構成部材２０の連結用とされる。図２に示されるように、第１、第２溝部３１、３２の溝底面３０Ｂは、頂部３０Ａと段差によって区画され、構成部材２０の配置時に上方に向いた水平面を形成する。
【００３９】
図５及び図６に示されるように、天板部２６からは、側壁部２２、２４で囲まれた空間３４側へ有底円筒状の突出部３６が複数（本実施形態では、計１２個）突出しており、これらの突出部３６は、突出側に向けて内外径共に連続的に縮径されたテーパ状に形成され、突出先端部３６Ａに底部が形成される。突出部３６は、突出先端部３６Ａが側壁先端部２２Ｂ、２４Ｂの先端位置に揃う位置まで延びている。
【００４０】
図２及び図３に示されるように、天板部２６の外面（構成部材２０の設置時に上方側へ向けられる面）には、平面視で円弧状に切り欠かれた係合部３３が複数形成される。
【００４１】
係合部３３は、構成部材２０を積み重ね連結した状態（下段の構成部材２０の第１、第２溝部３１、３２に上段の構成部材２０の側壁先端部２２Ｂ、２４Ｂが嵌入された状態）で、上段の構成部材２０の各突出部３６（図４〜図６参照）に対応することとなる（下段の構成部材２０の）すべての位置を含むように形成される。この係合部３３は、具体的には、天板部２６の四隅、及び、第１、第２溝部３１、３２に形成されて平面視にて規則性のあるパターンとなっている。天板部２６の四隅に形成された係合部３３の切欠底面３０Ｃは、頂部３０Ａに対して溝底面３０Ｂと同程度の段差とされる。
【００４２】
係合部３３は、図４〜図６に示される突出部３６の突出先端部３６Ａと係合可能な形状とされ、構成部材２０の積み重ね連結時には、突出部３６の突出先端部３６Ａの外周面が図２及び図３に示される係合部３３の切欠面に係合すると共に、図４〜図６に示される突出先端部３６Ａの先端面（図４の円形部分）が図２及び図３に示される溝底面３０Ｂ及び切欠底面３０Ｃと対向するようになっている。
【００４３】
ここで、本実施形態では、構成部材２０の積み重ね連結時に構成部材２０が若干よじれて配置されることも想定し、突出部３６の突出先端部３６Ａに対して係合部３３には遊びを持たせて若干大径としている。また、図５及び図６に示されるように、突出部３６がテーパ状に形成されることで、突出部３６の突出先端部３６Ａと係合部３３（図２及び図３参照）との係合が容易にできる。
【００４４】
図３に示されるように、平面視において、第１、第２溝部３１、３２、係合部３３、及び、突出部３６は、両短辺２８を二等分する二等分位置２８Ｈ同士を結ぶ線（本実施形態では、中心線３１Ｌと重なる線）に対して線対称とされると共に、両長辺２９を二等分する二等分位置２９Ｈ同士を結ぶ線（本実施形態では、３本の中心線３２Ｌのうちの真中の中心線３２Ｌと重なる線）に対しても線対称とされる。
【００４５】
なお、天板部２６の内面（構成部材２０の設置時に下方側へ向けられる面）には、図５（Ｂ）及び図６（Ａ）に示されるような板状の補強リブ３９が形成されている。
【００４６】
図７に示されるハーフサイズの構成部材４０は、四角筒状の側壁部４２、４４、及び、側壁部４２、４４の基端部４２Ａ、４４Ａ同士を繋ぐ天板部４６を有する。側壁部４２、４４は、天板部４６の各短辺４８（平面視で短辺を構成する辺）に繋がって互いに対向する短辺４８側の側壁部４２と、天板部４６の各長辺４９（平面視で長辺を構成する辺）に繋がって互いに対向する長辺４９側の側壁部４４とを備える。側壁部４２、４４の先端部としての側壁先端部４２Ｂ、４４Ｂは、開口部（図示省略）とされており、かつ、外向きにＪ字状に湾曲成形されている。
【００４７】
ハーフサイズの構成部材４０は、図２に示される標準サイズの構成部材２０における天板部２６の短辺２８の寸法及び開口部２５（図４参照）の短辺寸法を１／２にしたサイズであり、図７に示される天板部４６は、図３に示される天板部２６における両短辺２８の二等分位置２８Ｈ同士を結ぶ線（本実施形態では、中心線３１Ｌと重なる線）で二等分した形状となっている。ここで、標準サイズの構成部材２０の第１溝部３１、第２溝部３２に対応する部位は、図７に示されるハーフサイズの構成部材４０では、それぞれ補助段部４１Ａ、補助溝部４１Ｂで示す。
【００４８】
図７に示される天板部４６からは、側壁部４２、４４で囲まれた空間側へ有底円筒状の突出部（図示省略）が複数（本実施形態では、計６個）突出しており、これらの突出部（図示省略）の形成位置は、図２〜図６に示される標準サイズの構成部材２０を中心線３１Ｌ（図３参照）で二等分した場合の突出部３６の形成位置と同様であり、その形状も突出部３６の形状と同様とされる。
【００４９】
なお、図７に示されるハーフサイズの構成部材４０の他の構成において、図２に示される標準サイズの構成部材２０と同様の構成部分については、同一符号を付して説明を省略する。
（雨水貯留浸透槽の形成手順）
次に、複数個の構成部材２０、４０（図２及び図７参照）を互いに隣接して複数個並設させると共に上下方向に積み重ね、雨水貯留浸透槽１０（図１参照）を形成する手順について、図８〜図１２を参照しながら説明する。なお、図８〜図１１では、雨水貯留浸透槽１０（図１参照）の設置場所のコーナー付近に配置される構成部材２０、４０（図２及び図７参照）のみを図示し、他の図示を省略する。
【００５０】
まず、図８に示されるように、保護マット１２上に、複数個の構成部材２０を同じ向きに向けて（構成部材２０の長手方向が同一方向になるように）並設させる。これらの構成部材２０は、雨水貯留浸透槽１０（図１参照）を形成するために積み重ねられる構成部材２０の第１段（最下段）となる。
【００５１】
次に、図９に示されるように、第１段（最下段）に配置される構成部材２０に対して長手方向の向きを９０°変えて第２段（上段）となる構成部材２０を積み重ねる。ここで、図１２には、第１段（最下段）における構成部材２０の配置（図中の切欠よりも左上部分）、及び、第２段（上段）における構成部材２０の配置（図中の切欠よりも右下部分）が模式的に示されている。図１２に示されるように、本実施形態では、第２段（上段）に配置される構成部材２０が、第１段（最下段）に配置される３個又は６個の構成部材２０に跨るように積み重ねられて配置される。
【００５２】
このとき、図８に示される第１段（最下段）に配置される構成部材２０の第１、第２溝部３１、３２に、図９に示される第２段（上段）に配置されて互いに隣接する構成部材２０の側壁先端部２２Ｂ、２４Ｂ（図２参照）が２枚嵌入される。また、第１段（最下段）に配置される構成部材２０の係合部３３（図２及び図８参照）と、第２段（上段）の構成部材２０の突出部３６の突出先端部３６Ａ（図４〜図６参照）とが係合される。
【００５３】
標準サイズの構成部材２０を本実施形態のように積み重ねた場合、図９に示されるように、第２段（上段）には、第１段（最下段）で雨水貯留浸透槽１０（図１参照）の側部を構成する構成部材２０の上方に、細長の積み残し部分が発生するので、図１０に示されるように、この部分にハーフサイズの構成部材４０を配置する。
【００５４】
ここで、第１段（最下段）の標準サイズの構成部材２０と長手方向が同じ向きになるように配置するハーフサイズの構成部材４０（図１０では、コーナーから左側に図示する構成部材４０）は、隅部の係合部３３の位置が図９に示される第１段（最下段）の構成部材２０における隅部の係合部３３の上方となるように配置する。
【００５５】
また、図１０に示されるように、第２段の標準サイズの構成部材２０と長手方向が同じ向きになるように配置するハーフサイズの構成部材４０（図１０では、コーナーから右側に図示する構成部材４０）は、隅部の係合部３３の位置が隣接する標準サイズの構成部材２０側となるように配置する。
【００５６】
このとき、ハーフサイズの構成部材４０は、側壁先端部４２Ｂ、４４Ｂ（図７参照）が図９に示される第１段（最下段）に配置される構成部材２０の第１、第２溝部３１、３２に嵌入されると共に、突出部（図示省略）が第１段（最下段）に配置される構成部材２０の係合部３３と係合する。
【００５７】
次に、図１１に示されるように、第２段（下段）に配置される標準サイズの構成部材２０（図１０参照）に対して長手方向の向きを９０°変えて第３段（上段）となる標準サイズの構成部材２０を積み重ねる。第３段となる構成部材２０の配置向きは、第１段に配置された構成部材２０の配置向きと同様とされ、第１段に配置された構成部材２０と、第３段に配置される構成部材２０とは、平面視では同様の配置となる（図８参照）。
【００５８】
ここで、第３段（上段）で雨水貯留浸透槽１０（図１参照）の側部を構成する構成部材２０は、第２段（下段）に配置された標準サイズの構成部材２０（図１０参照）及びハーフサイズの構成部材４０に跨るように積み重ねられることになる。
【００５９】
以下同様に、奇数段に配置される標準サイズの構成部材２０と偶数段に配置される標準サイズの構成部材２０とが、交互に長手方向の向きを９０°変えて積み重ねられ、偶数段に一部ハーフサイズの構成部材４０を配置することで、雨水貯留浸透槽１０（図１参照）が形成される。
【００６０】
このように複数個の構成部材２０、４０が組み立てられて形成される雨水貯留浸透槽１０（図１参照）では、横方向からの圧力に対して、図２及び図７に示される第１、第２溝部３１、３２、補助段部４１Ａ、補助溝部４１Ｂと、側壁先端部２２Ｂ、２４Ｂ、４２Ｂ、４４Ｂと、が広範囲で面接触しながら支持すると共に、図５及び図６に示される突出部３６の突出先端部３６Ａと係合部３３（図２及び図７参照）とが面接触しながら支持することになるので、横方向からの圧力に対する破壊強度が高くなる。
【００６１】
また、図１２に示されるように、上段に配置される構成部材２０が、下段に配置される３個又は６個の構成部材に跨るように積み重ねられるので、構成部材２０同士を互いに強く拘束させることができる。
【００６２】
さらに、図９〜図１１に示されるように、枠状（四角筒状）の側壁部２２、２４、４２、４４の側壁先端部２２Ｂ、２４Ｂ、４２Ｂ、４４Ｂ（図２及び図７参照）を第１、第２溝部３１、３２、補助溝部４１Ｂに嵌入させる構成としたことで、従来技術のようにピンポイントで位置合わせをする必要がなくなるので、構成部材２０、４０の積み重ね結合が容易になる。また、前記のように嵌入させる構成とすることで、嵌入によって構成部材２０、４０の位置決めがなされるので、構成部材２０、４０間の相対的な位置ずれを防ぐことができ、積み重ね結合が多数段に及んでも、構成部材２０、４０の積み重ね結合の作業性を良好に維持することができる。
（実施形態の変形例等）
なお、上記実施形態では、図１に示されるように、雨水貯留浸透槽１０の下部が遮水シート１４上によって覆われ、上部が透水シート１５によって覆われており、下部で貯留機能を果たし、上部で浸透機能を果たす場合について説明したが、雨水貯留浸透槽１０の全体を遮水シート１４で覆って貯留槽としたり、雨水貯留浸透槽１０の全体を透水シート１５で覆って浸透槽としたりしてもよい。
【００６３】
また、上記実施形態では、雨水貯留浸透槽１０は、構成部材２０、４０が互いに隣接して複数個並設されると共に上下方向に積み重ねられながら連結されて形成されているが、構成部材同士が若干離れた状態で互いに隣り合って複数個並設されると共に上下方向に積み重ねられながら連結されて形成される構成としてもよい。このとき、溝部には、側壁部の先端部が１枚嵌入される構成となる。ここで、構成部材を箱状でなく、例えば、有底円筒状又は有底円筒テーパ状等の他の容器形状としてもよく、これらの構成部材における側壁部の先端部（例えば、円筒状側壁部における周方向の一部（円弧部）の先端部）を溝部に１枚嵌入させてもよい。
【００６４】
さらに、上記実施形態では、天板部２６、４６の平面視での形状及び開口部２５の形状が、標準サイズの構成部材２０では、縦横比１：２、ハーフサイズの構成部材４０では、縦横比１：４の長方形とされているが、他の縦横比の矩形状、又は、ハニカム形状を含む正多角形（正六角形、正八角形等）等のような他の線対称多角形としてもよく、その天板部に複数本設けた溝部の各中心線が天板部のいずれかの辺に平行な方向に延びて互いに交わるようにしてもよい。
【００６５】
さらにまた、上記実施形態では、図３に示されるように、天板部２６において、第１溝部３１が、中心線３１Ｌによって天板部２６の短辺２８を二等分して長辺２９に平行な方向に延びており、３本設けられる第２溝部３２が、各中心線によって天板部２６の長辺２９を四等分して短辺２８に平行な方向に延びているが、天板部に設けられる溝部の本数は、これに限定されず、例えば、各中心線によって天板部の短辺を四等分して長辺に平行な方向に延びる３本の溝部と、各中心線によって天板部の長辺を八等分して短辺に平行な方向に延びる７本の溝部と、を設ける構成等のように、他の本数としてもよい。
【００６６】
なお、上記実施形態では、雨水流通孔としての複数の貫通孔３８が頂部３０Ａに貫通形成されているが、このような貫通孔は、例えば、側壁部等のように構成部材の他の部位に貫通形成されてもよく、また、天板部及び側壁部の両方に貫通形成されてもよい。すなわち、貫通孔は、構成部材間における雨水の流通を可能とする部位に貫通形成されるものであれば他の形態を適用することもできる。
【００６７】
また、上記実施形態と同様の構成部材２０、４０を用いて上記実施形態とは異なる積み重ね構造を適用してもよい。
【図面の簡単な説明】
【００６８】
【図１】本発明の実施形態に係る雨水貯留浸透槽を地中に埋設した状態を示す概略断面図である。
【図２】本発明の実施形態に係る雨水貯留浸透槽用の構成部材（標準サイズ）を示す斜視図である。
【図３】本発明の実施形態に係る雨水貯留浸透槽用の構成部材（標準サイズ）を示す平面図である。
【図４】本発明の実施形態に係る雨水貯留浸透槽用の構成部材（標準サイズ）を示す底面図である。
【図５】本発明の実施形態に係る雨水貯留浸透槽用の構成部材（標準サイズ）を示す断面図である。図５（Ａ）は、図３の５１Ａ−５１Ａ線断面図である（５２Ａ−５２Ａ線断面図を兼ねる。）。図５（Ｂ）は、図３の５１Ｂ−５１Ｂ線断面図である（５２Ｂ−５２Ｂ線断面図を兼ねる。）。
【図６】本発明の実施形態に係る雨水貯留浸透槽用の構成部材（標準サイズ）を示す断面図である。図６（Ａ）は、図３の６１Ａ−６１Ａ線断面図である（６２Ａ−６２Ａ線断面図、６３Ａ−６３Ａ線断面図、及び、６４Ａ−６４Ａ線断面図を兼ねる。）。図６（Ｂ）は、図３の６１Ｂ−６１Ｂ線断面図である（６２Ｂ−６２Ｂ線断面図を兼ねる。）。
【図７】本発明の実施形態に係る雨水貯留浸透槽用の構成部材（ハーフサイズ）を示す斜視図である。
【図８】本発明の実施形態に係る雨水貯留浸透槽用の構成部材を保護マット上に複数個並設させた状態を示す斜視図である。
【図９】本発明の実施形態に係る雨水貯留浸透槽用の構成部材（標準サイズ）を第１段に配置される構成部材の上に積み重ねた状態を示す斜視図である。
【図１０】本発明の実施形態に係る雨水貯留浸透槽用の構成部材（ハーフサイズ）を第１段に配置される構成部材の上に積み重ねた状態を示す斜視図である。
【図１１】本発明の実施形態に係る雨水貯留浸透槽用の構成部材を第２段に配置される構成部材の上に積み重ねた状態を示す斜視図である。
【図１２】本発明の実施形態に係る雨水貯留浸透槽用の構成部材の配置を模式的に示した平面図である。（図中の切欠よりも左上部分は、第１段の構成部材を示し、図中の切欠よりも右下部分は、下から第２段の構成部材を示す。）
【符号の説明】
【００６９】
１０    雨水貯留浸透槽
２０    構成部材（雨水貯留浸透槽用の構成部材）
２２    側壁部
２２Ａ  基端部
２２Ｂ  側壁先端部（側壁部の先端部）
２４    側壁部
２４Ａ  基端部
２４Ｂ  側壁先端部（側壁部の先端部）
２５    開口部
２６    天板部
２８    天板部の短辺
２９    天板部の長辺
３１    第１溝部（溝部）
３１Ｌ  中心線
３２    第２溝部（溝部）
３２Ｌ  中心線
３３    係合部
３４    側壁部で囲まれた空間
３６    突出部
３６Ａ  突出先端部（突出部の先端部）
４０    構成部材（雨水貯留浸透槽用の構成部材）
４１Ｂ  補助溝部（溝部）
４２    側壁部
４２Ａ  基端部
４２Ｂ  側壁先端部（側壁部の先端部）
４４    側壁部
４４Ａ  基端部
４４Ｂ  側壁先端部（側壁部の先端部）
４６    天板部
【図１】
2007016555.tif 000003
【図２】
2007016555.tif 000004
【図３】
2007016555.tif 000005
【図４】
2007016555.tif 000006
【図５】
2007016555.tif 000007
【図６】
2007016555.tif 000008
【図７】
2007016555.tif 000009
【図８】
2007016555.tif 000010
【図９】
2007016555.tif 000011
【図１０】
2007016555.tif 000012
【図１１】
2007016555.tif 000013
【図１２】
2007016555.tif 000014